(57)【要約】【課題】より安定的にＥｔｈｅｒｎｅｔ信号及び電気を供給することができるＰｏＥ規格対応コネクタ及びＬＡＮケーブルを提供する。【解決手段】ＰｏＥ規格対応コネクタ２に、ＬＡＮケーブル１内の電線１１の芯線１１１と電気的に接続する端子部２１を備え、端子部２１は、導電性金属板から形成されており、端子部２１の一方の端部に芯線１１１に接続する電線接続部２１１を備え、電線接続部２１１は、第１の接触部２１３と第２の接触部２１４とを備え、第１の接触部２１３と第２の接触部２１４は、端子部２１の前記一方の端部が二股に分かれて延出した後、端子部２１の幅方向内側に屈曲してなる略Ｕ字状の部材であり、第１の接触部２１３と第２の接触部２１４との間の距離は、電線１１の径より小さい。【選択図】図１
2014235902.tif 000002
【特許請求の範囲】
【請求項１】
ＬＡＮケーブル内の電線の芯線と電気的に接続する端子部を備え、
前記端子部は、導電性金属板から形成されており、前記端子部の一方の端部に前記芯線に接続する電線接続部を備え、
前記電線接続部は、第１の接触部と第２の接触部とを備え、
前記第１の接触部と前記第２の接触部は、前記端子部の前記一方の端部が二股に分かれて延出した後、前記端子部の幅方向内側に屈曲してなる略Ｕ字状の部材であり、
前記第１の接触部と前記第２の接触部との間の距離は、前記電線の径より小さい、ＰｏＥ規格対応コネクタ。
【請求項２】
前記端子部の他方の端部は、前記ＬＡＮケーブルが前記ＰｏＥ規格対応コネクタを介して接続する通信装置と、前記端子部とを電気的に接続する通信装置接続部を備える、請求項１に記載のＰｏＥ規格対応コネクタ。
【請求項３】
請求項１又は請求項２に記載のＰｏＥ規格対応コネクタを備える、ＬＡＮケーブル。
【発明の詳細な説明】
【技術分野】
【０００１】
本発明は、ＰｏＥ規格対応コネクタ及びＬＡＮケーブルに関する。
【背景技術】
【０００２】
ＰｏＥ規格対応コネクタであるＲＪ４５プラグコネクタ（８極８芯モジュラコネクタとも呼ばれる。）が知られている。そして、ＰｏＥ規格対応コネクタであるＲＪ４５プラグコネクタは、ＬＡＮケーブル（ＵＴＰケーブル（Ｕｎｓｈｉｅｌｄｅｄ  Ｔｗｉｓｔ  Ｐａｉｒ  ｃａｂｌｅ））と屋外防水送信増幅装置とを接続することにより、移動通信基地局からＬＡＮケーブル（ＵＴＰケーブル）を介して屋外防水送信増幅装置に、Ｅｔｈｅｒｎｅｔ（登録商標）信号を送信するとともに、ＬＡＮケーブル（ＵＴＰケーブル）を介して当該屋外防水送信増幅装置が動作するために必要な電気を供給する。具体的には、当該ＲＪ４５プラグコネクタは、ＲＪ４５プラグコネクタ内部の鋭利な先端を持つ端子をＬＡＮケーブル（ＵＴＰケーブル）内の電線に串刺しすることにより、電線の芯線と端子とを圧接させている。
しかしながら、温度サイクルや圧接部分の発熱等の影響により、ＬＡＮケーブル（ＵＴＰケーブル）の絶縁体（樹脂）が縮小固形化する。これにより、ＬＡＮケーブル（ＵＴＰケーブル）とＲＪ４５プラグコネクタとの接続部分において、電線の芯線と端子との圧接部分に隙間が生じ、接触抵抗が増加して発熱してしまうという問題がある。
【０００３】
特許文献１は、弾性片部を有する電線保持部を開示している。弾性片部は、電線保持部の左右の側壁の端部をそれぞれ内側へ折り返すことにより形成されている。そして、それぞれの折り返し部分の先端が電線に食い込むことにより、電線保持部と電線とが電気的に接続されるようになっている。
【０００４】
また、特許文献２は、一対の電極配線体を有するプラグを開示している。一対の電極配線体は、それぞれ導電性金属板からなり、先端部にＹ字状の切り込み（スリット）が設けられている。そして、当該電極配線体のＹ字状の切り込みにリード線を挟み込み、当該電極配線体とリード線の芯線とが電気的に接続されるようになっている。
【０００５】
また、特許文献３は、一対の接触部を有するランプソケットを開示している。一対の接触部は、Ｕ字状に屈曲した導電性金属板からなり、当該一対の接触部の間に電極部が挟持されることにより、当該接触部と電極部とが電気的に接続するようになっている。
【先行技術文献】
【特許文献】
【０００６】
【特許文献１】特開平１０−１６２８７５号公報
【特許文献２】特開平１０−０３２０５５号公報
【特許文献３】特開２００８−１１７７７２号公報
【発明の概要】
【発明が解決しようとする課題】
【０００７】
しかしながら、特許文献１に記載の弾性片部は、その先端が電線に食い込むことにより、電線保持部と電線とが電気的に接続するものであるため、電線の絶縁体（樹脂）が経年変化することにより、接触抵抗が増加する虞がある。また、特許文献２に記載のプラグはコンセントに電気的に接続されるプラグについての技術であり、ＬＡＮケーブル内の電線とＰｏＥ規格対応コネクタとの電気的接続にそのまま応用することは難しい。同様に、特許文献３に記載の技術は、ランプソケットの接触部と電極との電気的接続に関する技術であり、ＬＡＮケーブル内の電線とＰｏＥ規格対応コネクタとの電気的接続にそのまま応用することは難しい。
【課題を解決するための手段】
【０００８】
本発明の第１の態様にかかるＰｏＥ規格対応コネクタは、ＬＡＮケーブル内の電線の芯線と電気的に接続する端子部を備える。また、前記端子部は、導電性金属板から形成されており、前記端子部の一方の端部に前記芯線に接続する電線接続部を備える。また、前記電線接続部は、第１の接触部と第２の接触部とを備える。また、前記第１の接触部と前記第２の接触部は、前記端子部の前記一方の端部が二股に分かれて延出した後、前記端子部の幅方向内側に屈曲してなる略Ｕ字状の部材であり、前記第１の接触部と前記第２の接触部との間の距離は、前記電線の径より小さい。
【０００９】
本発明の第２の態様にかかるＬＡＮケーブルは、上記ＰｏＥ規格対応コネクタを備える。
【発明の効果】
【００１０】
本発明により、より安定的にＥｔｈｅｒｎｅｔ信号及び電気を供給することができるＰｏＥ規格対応コネクタ及びＬＡＮケーブルを提供することができる。
【図面の簡単な説明】
【００１１】
【図１】本発明の実施の形態１にかかるＬＡＮケーブル及びＰｏＥ規格対応コネクタを示す斜視図である。
【図２】本発明の実施の形態１にかかるＬＡＮケーブルとＰｏＥ規格対応コネクタとの接続部分を示す斜視図である。
【図３】本発明の実施の形態１にかかるＬＡＮケーブルとＰｏＥ規格対応コネクタとの接続部分を示す部分断面図である。
【図４】図３の一部を拡大して示す図である。
【図５】従来のＬＡＮケーブル及びＲＪ４５プラグコネクタを示す斜視図である。
【図６】従来のＲＪ４５プラグコネクタを示す正面図である。
【図７】図６の一部を拡大して示す図である。
【図８】図６の一部を拡大して示す図である。
【発明を実施するための形態】
【００１２】
以下、本発明を適用可能な実施の形態について説明する。なお、本発明は、下記の実施の形態に限定されるものではない。
実施の形態１．
図１に、本発明の実施の形態１にかかるＬＡＮケーブル１及びＰｏＥ規格対応コネクタ２を示す。また、図２、図３に、ＬＡＮケーブルとＰｏＥ規格対応コネクタとの接続部分を示す。また、図４に、図３の破線で囲んだ部分を拡大して示す。
【００１３】
図１〜図４に示すように、ＬＡＮケーブル１は、ＰｏＥ規格対応コネクタ２を備えるものである。また、ＬＡＮケーブル１は、ＵＴＰケーブル（Ｕｎｓｈｉｅｌｄｅｄ  Ｔｗｉｓｔ  Ｐａｉｒ  ｃａｂｌｅ）等の通信用ケーブルである。具体的には、ＬＡＮケーブル１の内部には、電線１１が内蔵されている。電線１１は、芯線１１１、絶縁体１１２を備え、チューブ状の絶縁体１１２に芯線１１１が挿通している。絶縁体１１２は、樹脂等の絶縁材料から形成されている。
【００１４】
ＰｏＥ規格対応コネクタ２は、例えば、ＲＪ４５プラグコネクタ等である。また、ＰｏＥ規格対応コネクタ２は、ＬＡＮケーブル１と屋外防水送信増幅装置（通信装置）とを接続する。そして、ＰｏＥ規格対応コネクタ２は、移動通信基地局からＬＡＮケーブル１を介して屋外防水送信増幅装置に、Ｅｔｈｅｒｎｅｔ信号を送信するとともに、ＬＡＮケーブルを介して当該屋外防水送信増幅装置が動作するために必要な電気を供給する。
【００１５】
また、ＰｏＥ規格対応コネクタ２は、ＬＡＮケーブル１内の電線１１の芯線１１１と電気的に接続する端子部２１を備える。
端子部２１は、導電性金属板から形成されている。また、端子部２１は、端子部２１の一方の端部に、ＬＡＮケーブル１内の電線１１の芯線１１１と電気的に接続する電線接続部２１１を備える。また、端子部２１は、端子部２１の他方の端部に、屋外防水送信増幅装置（通信装置）と電気的に接続する通信装置接続部２１２を備える。
【００１６】
また、電線接続部２１１は、略Ｍ字状の板ばねとなっている。
具体的には、電線接続部２１１は、第１の接触部２１３と第２の接触部２１４とを備える。そして、第１の接触部２１３と第２の接触部２１４は、端子部２１の上記一方の端部が二股に分かれて延出した後、端子部２１の幅方向内側に屈曲してなる略Ｕ字状の部材となっている。換言すれば、略Ｕ字状の第１の接触部２１３と第２の接触部２１４とが向き合うように配置されることにより、第１の接触部２１３と第２の接触部２１４は、略Ｍ字状の板ばねを形成している。
【００１７】
また、第１の接触部２１３と第２の接触部２１４との間の距離は、ＬＡＮケーブル１の電線１１の径より小さくなっている。そのため、図３、図４に示すように、第１の接触部２１３と第２の接触部２１４との間に挟持された電線１１は、第１の接触部２１３と第２の接触部２１４とからなる板ばねの弾性力により、圧接される。換言すれば、第１の接触部２１３と第２の接触部２１４との間に圧接された電線１１は、第１の接触部２１３と第２の接触部２１４とからなる板ばねの弾性力により潰れ、芯線１１１と第１の接触部２１３及び第２の接触部２１４とが電気的に接続する。
【００１８】
また、電線１１は、第１の接触部２１３の平面部と第２の接触部２１４の平面部との間に圧接される。そのため、電線１１の絶縁体１１２が経年変化して縮小固形化しても、芯線１１１と第１の接触部２１３及び第２の接触部２１４との電気的な接続状態に影響が生じない。
【００１９】
図５に、従来のＬＡＮケーブル３及びＲＪ４５プラグコネクタ（８極８芯モジュラコネクタとも呼ばれる。）４を示す。また、図６に、ＲＪ４５プラグコネクタ４の正面図を示す。また、図７、図８に、図６の破線で囲む部分を拡大して示す。図５〜図７に示すように、ＲＪ４５プラグコネクタ４は、棒状の端子部４１を備える。また、端子部４１は、鋭利な先端４１１を有している。
【００２０】
そして、図７に示すように、端子部４１の鋭利な先端４１１をＬＡＮケーブル３の電線３１に串刺しする。これにより、電線３１の芯線３１１と端子部４１とが電気的に接続する。
【００２１】
しかしながら、従来にかかるＲＪ４５プラグコネクタ４では、端子４１が電線３１に串刺しするため、図８に示すように、電線３１の絶縁体３１２が経年変化して縮小固形化すると、端子部４１と電線３１の芯線３１１との間に隙間Ｘが生じ、端子部４１と電線３１との接触抵抗が増加し、発熱の原因となる。
【００２２】
従来にかかるＲＪ４５プラグコネクタに対し、本発明の実施の形態１にかかるＰｏＥ規格対応コネクタ２及びＬＡＮケーブル１においては、ＬＡＮケーブル１内の電線１１の芯線１１１と電気的に接続する端子部２１を備える。また、端子部２１は、導電性金属板から形成されており、端子部２１の一方の端部に芯線１１１に接続する電線接続部２１１を備える。また、電線接続部２１１は、第１の接触部２１３と第２の接触部２１４とを備える。また、第１の接触部２１３と第２の接触部２１４は、端子部２１の上記一方の端部が二股に分かれて延出した後、端子部２１の幅方向内側に屈曲してなる略Ｕ字状の部材である。そして、第１の接触部２１３と第２の接触部２１４との間の距離は、電線１１の径より小さい。
【００２３】
そのため、第１の接触部２１３と第２の接触部２１４との間に圧接された電線１１は、第１の接触部２１３と第２の接触部２１４とからなる板ばねの弾性力により潰れ、芯線１１１と第１の接触部２１３及び第２の接触部２１４とが電気的に接続する。また、電線１１は、第１の接触部２１３の平面部と第２の接触部２１４の平面部との間に圧接される。これにより、電線１１の絶縁体１１２が経年変化して縮小固形化しても、芯線１１１と第１の接触部２１３及び第２の接触部２１４との電気的な接続状態に影響が生じない。
【００２４】
また、端子部２１の他方の端部は、ＬＡＮケーブル１がＰｏＥ規格対応コネクタ２を介して接続する屋外防水送信増幅装置（通信装置）と、端子部２１とを電気的に接続する通信装置接続部２１２を備える。
これにより、ＰｏＥ規格対応コネクタ２は、移動通信基地局からＬＡＮケーブル１を介して屋外防水送信増幅装置に、Ｅｔｈｅｒｎｅｔ信号を送信するとともに、ＬＡＮケーブルを介して当該屋外防水送信増幅装置が動作するために必要な電気を供給することができる。
【００２５】
なお、本発明は上記実施の形態に限られたものではなく、趣旨を逸脱しない範囲で適宜変更することが可能である。
【符号の説明】
【００２６】
１  ＬＡＮケーブル
１１  電線
１１１  芯線
１１２  絶縁体
２  ＰｏＥ規格対応コネクタ
２１  端子部
２１１  電線接続部
２１２  通信装置接続部
２１３  第１の接触部
２１４  第２の接触部
【図１】
2014235902.tif 000003
【図２】
2014235902.tif 000004
【図３】
2014235902.tif 000005
【図４】
2014235902.tif 000006
【図５】
2014235902.tif 000007
【図６】
2014235902.tif 000008
【図７】
2014235902.tif 000009
【図８】
2014235902.tif 000010